(57)【要約】【課題】負荷側端子に電線が所定量差し込まれなければブレーカをオンできないようにして電線の接続確認が確実にできるようにし、また、電線の固定を緩めると電線が端子から押し出されて電線の抜き取り作業性が向上し、通電中に端子から電線が抜けた場合にブレーカがオフするようにした安全な回路遮断器を提供する。【解決手段】電路の異常時に引き外し装置１５の引き外し動作を受けて開閉機構部８を作動させる掛合片１１を負荷側端子４の電線挿入方向と反対方向にバネ２０で付勢された状態でスライド可能に設け、電線挿入前に負荷側端子４側に移動している掛合片１１を負荷側端子４に挿入した電線１９の先端で押すことにより開閉機構部８側に移動させ、電線１９が負荷側端子４に所定量差し込まれた時に掛合片１１と開閉機構部８を係合可能にする。【選択図】図１
2006221894.tif 000002
【特許請求の範囲】
【請求項１】
ケースの両端に設けられた電源側端子及び負荷側端子と、該電源側端子と負荷側端子間に電気的に接続された開閉接点と、前記ケースから突出して設けられた操作ハンドルと、該操作ハンドルの開閉操作に連動して前記開閉接点を開閉する開閉機構部と、電路の異常を検出して作動する引き外し装置と、該引き外し装置の引き外し動作によって前記開閉機構部との係合を解除して前記開閉機構部を動作させ前記開閉接点をオフする掛合片とを備えた回路遮断器において、前記掛合片を前記負荷側端子の電線挿入方向と反対方向にバネで付勢された状態でスライド可能に設け、前記負荷側端子に挿入した電線の先端が前記掛合片を押して移動させ、前記電線が所定量差し込まれた時に前記掛合片と前記開閉機構部が係合可能となることを特徴とする回路遮断器。
【発明の詳細な説明】
【技術分野】
【０００１】
本発明は、回路遮断器の端子に接続される電線の接続完了を確認をするための構造に関する。
【背景技術】
【０００２】
従来の回路遮断器は、端子（２，３）の近傍に表示部材（４）が設けられ、端子（２，３）に接続される電線（６）が所定量差し込まれた場合に電線（６）の先端が表示部材（４）を押してケースの表示孔（１Ｂ）から表示部材（４）が視認できるようになっている（例えば、特許文献１。）。
【０００３】
【特許文献１】特開２０００−２１５９２７号公報（第１−４図）
【発明の開示】
【発明が解決しようとする課題】
【０００４】
しかしながら、従来の回路遮断器は、電線の接続確認を表示孔を見て行わなければならず、表示孔は小さいため確認がしづらく、また、電線の差し込みが不十分でもブレーカをオンできてしまうため、電線の接続を確認せずに電線の差し込みが不十分な状態で使用してしまうという問題があった。
【課題を解決するための手段】
【０００５】
本発明は、ケースの両端に設けられた電源側端子及び負荷側端子と、電源側端子と負荷側端子間に電気的に接続された開閉接点と、ケースから突出して設けられた操作ハンドルと、操作ハンドルの開閉操作に連動して開閉接点を開閉する開閉機構部と、電路の異常を検出して作動する引き外し装置と、引き外し装置の引き外し動作によって開閉機構部との係合を解除して開閉機構部を動作させ開閉接点をオフする掛合片とを備えた回路遮断器において、掛合片を負荷側端子の電線挿入方向と反対方向にバネで付勢された状態でスライド可能に設け、負荷側端子に挿入した電線の先端が掛合片を押して移動させ、電線が所定量差し込まれた時に掛合片と開閉機構部が係合可能となることを特徴とする。
【発明の効果】
【０００６】
本発明によれば、負荷側端子に電線が所定量差し込まれなければブレーカをオンできないので電線の接続確認が確実にでき、また、電線の固定を緩めるとバネの力により電線が端子から押し出されるので電線の抜き取り作業性が向上し、通電中に端子から電線が抜けた場合にブレーカがオフするので安全であるという効果がある。
【発明を実施するための最良の形態】
【０００７】
ケースの両端に設けられた電源側端子及び負荷側端子と、電源側端子と負荷側端子間に電気的に接続された開閉接点と、ケースから突出して設けられた操作ハンドルと、操作ハンドルの開閉操作に連動して開閉接点を開閉する開閉機構部と、電路の異常を検出して作動する引き外し装置と、引き外し装置の引き外し動作によって開閉機構部との係合を解除して開閉機構部を動作させ開閉接点をオフする掛合片とを備えた回路遮断器において、掛合片を負荷側端子の電線挿入方向と反対方向にバネで付勢された状態でスライド可能に設け、負荷側端子に挿入した電線の先端が掛合片を押して移動させ、電線が所定量差し込まれた時に掛合片と開閉機構部を係合可能にする。
【実施例１】
【０００８】
本発明に係る回路遮断器の実施例１を図１〜図３の添付図面に基づいて説明する。
【０００９】
回路遮断器１は、樹脂製のケース２の両端に電源側端子３と負荷側端子４が設けられ、電源側端子３と負荷側端子４間には開閉接点５が電気的に接続されて設けられている。開閉接点５は電源側端子４に接続された固定接触子６の先端に固着された固定接点６ａと、固定接触子６と対向して接離可能に配置されたバネ性を有する可動接触子７の先端に固着された可動接点７ａとで成っている。
【００１０】
開閉接点５を開閉する開閉機構部８は、ケース２から突出して設けられた操作ハンドル９に連動するようになっている。開閉機構部８は操作ハンドル９に一端を軸支したリンク１０と、リンク１０の他端を中間部に軸支し、一端を後述する掛合片１１に係合するトリップアーム１２と、トリップアーム１２の他端の下面に配置され、トリップアーム１２に押し下げられることにより可動接触子７を固定接触子６に接触させるクロスバー１３と、トリップアーム１２とリンク１０の連結軸１０ａを案内する溝１４ａを設けたフレーム１４とで構成している。
【００１１】
トリップアーム１２は操作ハンドル９の開閉操作によりリンク１０との連結軸１０ａがフレーム１４の溝１４ａに沿って移動し、操作ハンドル９をオン操作するとトリップアーム１２が下がった位置で保持され、クロスバー１３が可動接触子７を押し下げて開閉接点５がオンし、操作ハンドル９をオフ操作するとトリップアーム１２が上がり、可動接触子７の復元力によって可動接触子７が固定接触子６から離反して開閉接点５がオフするようになっている。
【００１２】
可動接触子７は基端部がバイメタル１５の下端に接続され、バイメタル１５の中間部から可撓電線１６を介して負荷側端子４に接続されている。バイメタル１５は電路の過電流を検出すると作動する引き外し装置であり、バイメタル１５に過電流が流れると湾曲して上端が掛合片１１を押圧するようになっている。
【００１３】
掛合片１１は合成樹脂などにより形成され、回動可能に下端が可動板１７に軸支され、ネジリバネ１８によって開閉機構部８側に付勢されている。掛合片１１の先端はバイメタル１５との隙間を調整する調整ネジ１１ａが設けられ、中間部に開閉機構部８のトリップアーム１２が係合する係合凹部１１ｂが形成されている。開閉接点５がオンした状態で電路に過電流が流れると、バイメタル１５が湾曲して掛合片１１が図３の位置から時計方向に回動し、掛合片１１とトリップアーム１２の係合が解除すると可動接触子７の復元力によって固定接触子６から離反して開閉接点５がオフするようになっている。
【００１４】
掛合片１１が設けられた可動板１７は電線１９の挿抜方向にスライド可能に設けられ、電線１９の電線挿入方向と反対方向にバネ２０で付勢されている。可動板１７は負荷側端子４に電線１９が挿入されると電線１９の先端によって押され、バネ２０の力に抗して開閉機構部８側にスライドするようになっている。
【００１５】
負荷側端子４は金属製の収納枠２１の内部に鎖錠ばね２２が収納されており、負荷側端子４に挿入された電線１９を押圧部２２ａによって収納枠２１の内面に押圧するとともに鎖錠片２２ｂによって電線１９を鎖錠するようになっている。また、解除ボタン２３を押すと鎖錠片２２ｂが押し下げられて電線１９との鎖錠が解除されるようになっている。尚、電源側端子３は図に示すようにねじ端子であるが、差し込み式のプラグイン端子でも良い。
【００１６】
このように形成された回路遮断器１は、負荷側端子４に電線１９が接続されていない状態ではバネ２０の力によって可動板１７が負荷側端子４側に押され、可動板１７の端部が鎖錠ばね２２の押圧部２２ａによって収納枠２１の内面に押圧されて鎖錠片２２ｂに当接する位置までスライドしている。ここで解除ボタン２３を押すと可動板１７は更に収納枠２１の端部までスライドする。このように可動板１７が負荷側端子４側に移動した状態では掛合片１１の係合凹部１１ｂに開閉機構部８のトリップアーム１２が係合できないので操作ハンドル９をオンすることができない。
【００１７】
また、負荷側端子４に電線１９を挿入すると、電線１９の先端が可動板１７の端部に当接する。そこで更に電線１９を押し込むと可動板１７がバネ２０の力に抗して開閉機構部８側にスライドし、掛合片１１の係合凹部１１ｂが開閉機構部８のトリップアーム１２にほぼ当接する位置で可動板１７が止まり、電線１９が押し込めないようになる。このとき電線１９は鎖錠ばね２２の押圧部２２ａによって収納枠２１に押圧されて電気的に接続されるとともに鎖錠片２２ｂによって鎖錠される。こうして可動板１７が開閉機構部８側に移動した状態では掛合片１１の係合凹部１１ｂに開閉機構部８のトリップアーム１２が係合できるので操作ハンドル９をオンすることができる。
【００１８】
即ち、操作ハンドル９がオンできれば電線１９の接続が確実にされており、操作ハンドル９がオンできなければ電線１９の接続が不十分であることがわかる。従って、従来の回路遮断器のように表示装置を視認しなくても電線の接続が確実かどうかを確認することができる。
【００１９】
また、電線１９の鎖錠が緩んで電線１９の接続が不十分になると可動板１７がバネ２０の力によって負荷側端子４側に押され、掛合片１１とトリップアーム１２の係合が解除すると開閉機構部８が作動して開閉接点５がオフするので安全である。
【００２０】
尚、本実施例においては負荷側端子がねじ無し端子であるが、ねじ端子に変更して実施することも可能である。また、引き外し装置としてバイメタルを使用しているが、電路の異常を検出して作動する装置であれば良く、漏電や欠相を検出して作動する電磁石装置などでも良い。
【図面の簡単な説明】
【００２１】
【図１】本発明に係る回路遮断器の断面図であり、電線挿入前で操作ハンドルがオフしている状態を示す。
【図２】本発明に係る回路遮断器の断面図であり、電線挿入完了時で操作ハンドルがオフしている状態を示す。
【図３】本発明に係る回路遮断器の断面図であり、電線挿入完了時で操作ハンドルがオンしている状態を示す。
【符号の説明】
【００２２】
１    回路遮断器
４    負荷側端子
５    開閉接点
８    開閉機構部
９    操作ハンドル
１０    リンク
１１    掛合片
１１ｂ    係合凹部
１２    トリップアーム
１３    クロスバー
１５    バイメタル
１７    可動板
１９    電線
２０    バネ
２１    収納枠
２２    鎖錠ばね
２２ａ    押圧部
２２ｂ    鎖錠片
２３    解除ボタン
【図１】
2006221894.tif 000003
【図２】
2006221894.tif 000004
【図３】
2006221894.tif 000005